(57)【要約】【課題】構造が簡易でありかつ錠全体が小型であって、しかも、ダイヤル強制駆動機構が組み込まれた防犯上優れた固定符号タイプの符号錠装置を提供する。【解決手段】解錠符号列が固定的に設定された符号錠装置であって、複数個のダイヤル３が支持される往復動と回動とが可能な作動軸４と、施錠および解錠の各操作時に各ダイヤル３を強制回動させるダイヤル強制駆動機構９とを備える。ダイヤル強制駆動機構９は、作動軸４の回動に対して作動軸４の各凸子４２ａ，４２ｂがそれぞれ係合するダイヤル毎のダイヤル駆動板９０と、各ダイヤル駆動板９０を各ダイヤル３に対して変位させる変位機構１００とを含む。施錠および解錠の各操作時、各ダイヤル駆動板９０は決められた角度だけ作動軸４と一体に回動する間に対応するダイヤル３を引っ掛け、各ダイヤル３を解錠符号列の整列状態から他の所定の符号列の整列状態へ移行させる。【選択図】図３
2008088673.tif 000002
【特許請求の範囲】
【請求項１】
解錠符号列を整列または不整列の状態に設定するための複数個のダイヤルと、各ダイヤルを回動操作可能に支持する往復動と回動とが可能な１本の作動軸と、施錠および解錠の各操作に応動するアクチュエータと、アクチュエータの作動に応動して作動軸を往復動させる往復動機構と、アクチュエータの作動に応動して作動軸を回動させる回動機構と、解錠符号列が不整列の状態のとき前記往復動機構による作動軸の移動を規制するロック機構とを備え、前記ロック機構は、作動軸の軸周面に各ダイヤルに対応させて設けられた凸子と、各ダイヤルの内周面の長さ方向に設けられた凸子摺動溝とを有し、解錠符号列が整列状態のとき、凸子と凸子摺動溝との位置が一致して作動軸の移動を許容し、不整列の状態のとき、凸子と凸子摺動溝との位置がずれて作動軸の移動を規制するようにした符号錠装置において、
装置毎に定められる解錠符号列を記憶する解錠符号列記憶機構と、施錠および解錠の各操作時に各ダイヤルを強制回動させて解錠符号列を整列状態から不整列の状態へ移行させるダイヤル強制駆動機構とをさらに備え、
前記ダイヤル強制駆動機構は、前記作動軸の回動に対して作動軸の各凸子がそれぞれ係合する係合溝を有するダイヤル毎のダイヤル駆動板と、各ダイヤル駆動板を各ダイヤルに対して変位させる変位機構とを含み、各ダイヤル駆動板の外周と各ダイヤル駆動板に対応するダイヤルの内周との間には、各ダイヤル駆動板が各ダイヤルの方向へ変位した状態のとき、作動軸と一体にダイヤル駆動板が決められた角度だけ回動する間に互いに引っ掛かる部分を設けて、施錠および解錠の各操作時に各ダイヤルを解錠符号列の整列状態から他の所定の符号列の整列状態へ移行させるようにした符号錠装置。
【請求項２】
各ダイヤルは、周面に０を含むｎ個の数字が表されたものであり、前記ダイヤル強制駆動機構の各ダイヤル駆動板は、施錠および解錠の各操作時に各ダイヤルを、（３６０度−３６０度／ｎ）の角度だけ回動して、符号の０がダイヤルの数だけ並んだ状態へ移行させる請求項１に記載された符号錠装置。
【請求項３】
各ダイヤル駆動板の外周には突片が形成され、各ダイヤルの内周に前記突片が摺動する摺動溝が形成されるとともに、摺動溝内に突片が引っ掛かる凸部が設けられている請求項１または２に記載された符号錠装置。
【発明の詳細な説明】
【技術分野】
【０００１】
この発明は、金庫，ロッカー，ドアなどの扉の施錠に用いられ、解錠符号列を整列させたり崩したりして解錠および施錠の各状態を設定する符号錠装置に関し、特にこの発明は、装置毎に定められる解錠符号列が固定的に設定されている符号錠装置に関する。
【背景技術】
【０００２】
従来、符号錠装置には、装置毎に解錠符号列が固定的に設定される固定符号タイプのものと、使用者が解錠符号列を自在に設定することが可能な自由符号タイプのものとがある。いずれのタイプも、ダイヤル操作により解錠符号列を整列させた後、撮みや鍵を掴んで回動操作することにより、撮みや鍵の操作と連動した掛止片が相手の受け金具に係合するものである。その後、ダイヤル操作により解錠符号列を適当に崩すと、施錠状態となる。
【０００３】
解錠に際しては、ダイヤル操作により解錠符号列を整列させた後、撮みや鍵を掴んで前記と反対方向へ回動操作する。これにより掛止片が相手の受け金具より外れ、金庫，ロッカー，ドアなどの扉の開放が可能となる。固定符号タイプのものでは、その後、施錠操作を行った上で解錠符号列を崩して施錠状態に戻しておくか、施錠操作を行わずに解錠符号列を崩しておく。
【０００４】
従って、固定符号タイプのものは、使用者が常に変わるような用途には不向きであり、特定人が使用する用途に用いられるのに対し、自由符号タイプのものは、使用者が常に変わるような用途、すなわち、不特定人が使用する用途に用いられている。
【０００５】
使用者が不特定人である場合、符号錠の操作に不慣れであるため、自由符号タイプのものには、施錠および解錠の各操作時に各ダイヤルを強制回動させて解錠符号列を強制的に崩すダイヤル強制駆動機構が組み込まれている（例えば、特許文献１参照）。そのため、自由符号タイプの符号錠は、構造が複雑化し、錠全体が大型化する。
これに対して、使用者が特定人である場合、符号錠の操作に慣れているので、固定符号タイプのものでは、構造の複雑化と錠全体の大型化を招いてまで、前記ダイヤル強制駆動機構を必ずしも組み込む必要はない。
【０００６】
【特許文献１】特許第２５６４２３８号公報
【発明の開示】
【発明が解決しようとする課題】
【０００７】
しかし、使用者が特定人であっても、うっかり解錠符号列を崩すのを忘れることもあり、防犯上、前記ダイヤル強制駆動機構を組み込むことが望ましいが、構造が簡易でありかつ錠全体が小型であって、しかも、ダイヤル強制駆動機構が組み込まれた固定符号タイプの符号錠装置はこれまで存在しない。
【０００８】
この発明は、上記した要請に応えるもので、構造が簡易でありかつ錠全体が小型であって、しかも、ダイヤル強制駆動機構が組み込まれた防犯上優れた固定符号タイプの符号錠装置を提供することを目的とする。
【課題を解決するための手段】
【０００９】
この発明の前提となる符号錠装置は、解錠符号列を整列または不整列の状態に設定するための複数個のダイヤルと、各ダイヤルを回動操作可能に支持する往復動と回動とが可能な１本の作動軸と、施錠および解錠の各操作に応動するアクチュエータと、アクチュエータの作動に応動して作動軸を往復動させる往復動機構と、アクチュエータの作動に応動して作動軸を回動させる回動機構と、解錠符号列が不整列の状態のとき前記往復動機構による作動軸の移動を規制するロック機構とを備えたものである。前記ロック機構は、作動軸の軸周面に各ダイヤルに対応させて設けられた凸子と、各ダイヤルの内周面の長さ方向に設けられた凸子摺動溝とを有しており、解錠符号列が整列状態のとき、凸子と凸子摺動溝との位置が一致して作動軸の移動を許容し、不整列の状態のとき、凸子と凸子摺動溝との位置がずれて作動軸の移動を規制する。
この発明による符号錠装置は、装置毎に定められる解錠符号列を記憶する解錠符号列記憶機構と、施錠および解錠の各操作時に各ダイヤルを強制回動させて解錠符号列を整列状態から不整列の状態へ移行させるダイヤル強制駆動機構とをさらに備えたものである。
前記ダイヤル強制駆動機構は、前記作動軸の回動に対して作動軸の各凸子がそれぞれ係合する係合溝を有するダイヤル毎のダイヤル駆動板と、各ダイヤル駆動板を各ダイヤルに対して変位させる変位機構とを含み、各ダイヤル駆動板の外周と各ダイヤル駆動板に対応するダイヤルの内周との間には、各ダイヤル駆動板が各ダイヤルの方向へ変位した状態のとき、作動軸と一体にダイヤル駆動板が決められた角度だけ回動する間に互いに引っ掛かる部分を設けて、施錠および解錠の各操作時に各ダイヤルを解錠符号列の整列状態から他の所定の符号列の整列状態へ移行させるようにしている。
【００１０】
上記した構成の符号錠装置において、施錠操作または解錠操作によりアクチュエータが作動すると、作動軸が回動してダイヤル強制駆動機構の各ダイヤル駆動板が作動軸と一体に決められた角度だけ回動する。各ダイヤル駆動板が決められた角度だけ回動する間に、各ダイヤル駆動板は、対応するダイヤルをそれぞれ引っ掛けて回動させ、解錠符号列の整列状態から他の所定の符号列の整列状態へ移行させる。
【００１１】
この発明の好ましい実施態様においては、各ダイヤルは、周面に０を含むｎ個の数字が表されたものであり、前記ダイヤル強制駆動機構の各ダイヤル駆動板は、施錠および解錠の各操作時に各ダイヤルを、（３６０度−３６０度／ｎ）の角度だけ回動して、数字の０がダイヤルの数だけ並んだ状態へ移行させるものであるが、これに限らず、「０」以外の数字がダイヤル数だけ並んだ符号列の整列状態に移行させるようにしてもよい。なお、符号は数字に限らず、英文字などであってもよく、また図柄であってもよい。
【００１２】
この発明の好ましい実施態様においては、各ダイヤル駆動板の外周に突片が形成され、各ダイヤルの内周に前記突片が摺動する摺動溝が形成されるとともに、摺動溝内に突片が引っ掛かる凸部が設けられているが、ダイヤル駆動板が決められた角度だけ回動する間に引っ掛かる構成のものであれば、どのような態様のものであってもよい。
【発明の効果】
【００１３】
この発明は上記の如く、解錠符号列が固定的に設定された固定符号タイプの符号錠装置において、施錠および解錠の各操作時に各ダイヤルを強制的に回動して解錠符号列を崩すように構成したから、固定符号タイプの符号錠装置の防犯性や信頼性を大幅に高めることができる。また、１本の作動軸の回動によって、しかも、ロック機構を構成する作動軸の凸子を利用して解錠符号列を崩す構成としたから、構造の複雑化と大型化とを招くおそれもない。
【発明を実施するための最良の形態】
【００１４】
図１および図２は、この発明の一実施例である符号錠装置の外観を示している。この符号錠装置は、例えば、特定人が使用する個人専用ロッカーの扉に取り付けられたもので、掛止片１が正逆回動してロッカー本体の側に取り付けられた受け金具１０に係脱する。
【００１５】
なお、以下の説明において、掛止片１が受け金具１０に係合した状態を「閉状態」、この「閉状態」がロック保持されている状態を「施錠状態」、ロック解除された状態を「解錠状態」、掛止片１が受け金具１０より外れた状態を「開状態」という。また「開状態」から「施錠状態」へ至る人手による操作を「施錠操作」、「閉状態」から「解錠状態」を経て「開状態」へ至る人手による操作を「解錠操作」という。
【００１６】
図示例の符号錠装置は、解錠符号列が整列状態にあることにより施錠および解錠の各操作が可能となる符号錠の機構のみが組み込まれたものであるが、これに加えて、適正な鍵の挿入により施錠および解錠の各操作が可能となるシリンダ錠の機構を導入して構成することもできる。
【００１７】
図１および図２において、１４は箱状ケース１１の上面開口を塞ぐ前面プレートであって、板面の一端部寄りに円形の開口部１２が、中央部から他端部にかけて４個の窓孔１３が、それぞれ設けてある。
前記開口部１２の位置には撮み２０による施錠および解錠の各操作に応動するアクチュエータ２が、また、４個の窓孔１３の位置には解錠符号列を整列させるための機構が、それぞれ組み込まれている。撮み２０は開口部１２より前面プレート１４上へ突出している。また、各窓孔１３には前面プレート１４上に４桁の各ダイヤル３のダイヤル操作面３２が突出している。ダイヤル操作面３２には「０」〜「９」の１０個の符号３３が表されている。
【００１８】
図３および図４には、箱状ケース１１の内部構造が示してある。なお、同図の符号錠装置の状態は「開状態」であり、図３は前面プレート１４の側より見た水平方向に沿う断面図、図４は垂直方向に沿う断面図である。
【００１９】
図示例の符号錠装置は、装置毎に定められる解錠符号列が固定的に設定されたもので、解錠符号列は、施錠および解錠の各操作に伴って崩され、「０」が４個並んだ状態（この符号列を「初期符号列」という。）へ移行する。上記の機能を実現するために、アクチュエータ２，作動軸４，往復動機構５，回動機構６，４個のダイヤル３，解錠符号列記憶機構７（図１３〜図１８），ロック機構８，ダイヤル強制駆動機構９などの各構成が備えられている。
【００２０】
（１）アクチュエータ２の構成
アクチュエータ２は、撮み２０による施錠および解錠の各操作に応動するもので、撮み２０を回動操作すると、内筒２１と外筒２２とが一体に回動する。内筒２１には取付軸２３を介して前記掛止片１が取り付けてあり、内筒２１と一体に掛止片１が正逆回動する。
外筒２２の外周には、後述する回動機構６を構成する第１のかさ歯車６０が装着されている。
【００２１】
（２）作動軸４の構成
作動軸４は、アクチュエータ２と直交する方向に水平に設けられており、先端部４１は支持板１５の軸受孔（図示せず）に、基端部は軸受１７に、それぞれ往復動可能かつ正逆回動可能に支持されている。作動軸４の基端部にはフランジ部４９が設けられ、このフランジ部４９に圧縮バネ４０を連繋して、そのバネ圧によって作動軸４を常時アクチュエータ２の方向へ押している。
【００２２】
作動軸４の先端部４１には、後述する回動機構６を構成する第２のかさ歯車６１が摺動自由に支持されている。作動軸４の先端部４１の先端面は曲面になっており、この先端部４１が第２のかさ歯車６１よりアクチュエータ２の側へ突出したり引っ込んだりする。作動軸４の軸周面には、一定間隔毎に４個の凸子４２ａがそれぞれ同じ角度位置に一体突設されている。なお、この実施例では、確実なロック状態を得るために、他の同じ角度位置にも４個の凸子４２ｂを一体突設しているが、凸子列は必ずしも２列である必要はなく、１列であってもよい。これらの凸子４２ａ，４２ｂはロック機構８とダイヤル強制駆動機構９とを構成し、その詳細は後述する。
【００２３】
（３）回動機構６の構成
回動機構６は、アクチュエータ２の外筒２２の外周に装着された第１のかさ歯車６０と、作動軸４の先端部４１に支持された第２のかさ歯車６１とで構成されている。第１、第２の各かさ歯車６０，６１は噛み合い、これによりアクチュエータ２の回動が作動軸１４へ伝達されて作動軸４が回動する。作動軸４は前記した「開状態」から「閉状態」へ、また「閉状態」から「開状態」へ、それぞれ移行する間に１回転するように各かさ歯車６０，６１の歯のピッチなどが決められている。
【００２４】
第１のかさ歯車６０の回動開始タイミングに対して、第２のかさ歯車６１の回動開始タイミングを遅らせるために、この実施例では、アクチュエータ２が所定の角度（この実施例では２０度）回動した時点で第１のかさ歯車６０が外筒２２と一体回動を開始し、これにより第２の傘歯車６１の回動を開始させている。この遅延動作を実現するために、図２２（１）に示すように、アクチュエータ２の外筒２２の外周に所定の角度αにわたる係合突起２５を形成し、一方、図２２（２）に示すように、第１の傘歯車６０の下面に前記角度αより大きな角度βにわたる係合溝６２を形成し、係合突起２５に係合溝６２が係合するようにして外筒２２の外周に第１の傘歯車６０を装着している。このように構成することで、第１の傘歯車６０は、アクチュエータ２が所定の角度（β―α）だけ空転した後に回動を開始するものである。
この作動遅延は、まず、作動軸４を回動させずに往復動作させ、引き続き、作動軸４を回動動作させるためのもので、後記するロック機構８やダイヤル強制駆動機構９の動作と関わっている。
【００２５】
（４）往復動機構５の構成
往復動機構５は、アクチュエータ２の作動に応動して作動軸４を所定のタイミングで所定の変位量だけ往復移行させるためのもので、外筒２２の外周面に所定の角度だけ隔てた位置に形成された第１、第２の各凹部５０ａ，５０ｂと、外筒２２の内部に凹部５０ａ，５０ｂ間の角度より狭い角度隔てて設けられた第１、第２の各押爪５１ａ，５１ｂと、各押爪５１ａ，５１ｂを外方へ付勢するバネ（図示せず）とが上記した往復動作に関わっている。凹部５０ａ，５０ｂと押爪５１ａ，５１ｂとは同じ高さ位置に配置されている。
【００２６】
図３および図４に示す「開状態」のとき、作動軸４は圧縮バネ４０のバネ力により押され、作動軸４の先端部４１が外筒２２の第１の凹部５０ａへ嵌入している。この嵌入状態のとき、作動軸４はアクチュエータ２の側へ最も変位している。以下、この位置を「第１変位位置」という。
【００２７】
図５および図６は、アクチュエータ２が「開状態」から「閉状態」へ約１０度回動したときの状態を示している。この状態では作動軸４の先端部４１が第１の凹部５０ａより脱出するとともに、第１の押爪５１ａの押圧面５２によって圧縮バネ４０のばね圧に抗して押圧されている。この第１の押爪５１ａによる押圧により作動軸４はアクチュエータ２と反対の方向へ最も変位している。以下、この位置を「第２変位位置」という。
【００２８】
図７および図８は、アクチュエータ２が「開状態」から「閉状態」へ約２０度回動したときの状態を示している。この状態では第１の押爪５１ａは圧縮ばね４０のばね圧を受けた作動軸４により押し返されて回動し、作動軸４の先端部４１は外筒２２の外周面に乗り上がって支持されている。この状態の作動軸４は「第１変位位置」と「第２変位位置」との中間で定位する。以下、この位置を「第３変位位置」という。
【００２９】
図９および図１０は、「閉状態」から「開状態」へ約１００度回動したときの状態を示している。この状態では第２の押爪５１ｂが作動軸４の先端部４１の手前位置まで達している。第２の押爪５１ｂは押圧面５２が作動軸４の先端部４１に向いていないので、作動軸４の先端部４１に押圧力は作用せず、作動軸４に関わることなく作動軸４の位置を通過する。
【００３０】
図１１および図１２は、「閉状態」から「開状態」へ約１４０度回動したときの状態、すなわち、「開状態」を示している。この状態では、作動軸４は圧縮バネ４０のバネ力を受けてその先端部４１が外筒２２の第２の凹部５０ｂへ嵌入している。この嵌入状態のとき、作動軸４はアクチュエータ２の側へ最も変位した「第１変位位置」になっている。
【００３１】
（５）ダイヤル３の構成
４個の各ダイヤル３は、ダイヤル本体３０の内周面にブッシュ３１が噛み合わされて構成されており、前記作動軸４上の各仕切板１９の内側位置に回動可能に支持されている。ダイヤル本体３０の外周面には、図１３〜図１５に示すように、等角度位置毎に「０」〜「９」の符号３３が表され、ダイヤル操作面３２が構成されている。ダイヤル本体３０にはボス部３４が突設され、ボス部３４の外周には符号数に相当する数の谷部３５が形成されている。各谷部３５に図示しないばね板部材を順次係合させることにより、ダイヤル３が順送りされる。
【００３２】
（６）解錠符号列記憶機構７の構成
解錠符号列記憶機構７は、あらかじめ定められた解錠符号列を固定的に設定するための機構であって、各ダイヤル３のダイヤル本体３０とブッシュ３１との間に形成される。ここで解錠符号列とは、その解錠符号列が前記の各窓孔１３に整列したときに符号錠が「解錠状態」に、また不整列の状態になったときに「施錠状態」に、それぞれ設定される各ダイヤル３の符号３３の並びをいう。なお以下の説明において、解錠符号列を構成する各ダイヤル３の符号を、単に解錠符号という場合がある。
【００３３】
図示例の解錠符号列記憶機構７は、図１３および図１５に示すように、各ダイヤル３のダイヤル本体３０の内周面に形成された溝列７０と、図１６〜図１８に示すように、ブッシュ３１の一端部の外周面に形成された突子列７１とで構成される。ダイヤル本体３０の溝列７０は、符号数に一致する数の嵌合溝７４を等角度間隔で一周配置して成る。一方、ブッシュ３１の突子列７１は、いずれの嵌合溝７４とも嵌合可能な嵌合突子７５を等角度間隔で符号数だけ一周配置して成る。
突子列７１と溝列７０との噛み合い角度位置、すなわちブッシュ３１に対するダイヤル本体３０の嵌合角度位置は符号数に一致する数だけ存在するもので、従って、両者の嵌合角度位置に応じて解錠符号を１０とおり記憶することが可能である。
【００３４】
（７）ロック機構８の構成
ロック機構８は、各窓孔１３に現れる各ダイヤル３の符号３３がすべて解錠符号であるとき（解錠符号列が生成されたとき）、アクチュエータ２の作動を許容し、いずれかダイヤル３の符号３３が解錠符号でないとき（解錠符号列が崩れているとき）、アクチュエータ２の作動を規制する。この実施例のロック機構８は、作動軸４の軸周面に突設された１列につき４個の各凸子４２ａ，４２ｂと、各ブッシュ３１の内周面の長さ方向に設けられた各凸子４２ａ，４２ｂが摺動して出入りする凸子摺動溝８１ａ，８１ｂ（図１６）とで構成されている。
【００３５】
作動軸４が前記した「第１変位位置」にあるとき、各凸子４２ａ，４２ｂは各凸子摺動溝８１ａ，８１ｂより脱出し、作動軸４に対して各ダイヤル３が独立回動可能な状態にある。この状態において、もし、凸子４２ａ，４２ｂと凸子摺動溝８１ａ，８１ｂとの位置がずれていれば、作動軸４がアクチュエータ２と反対の方向へ移行するのが阻止される。もし、凸子４２ａ，４２ｂと凸子摺動溝８１ａ，８１ｂとの位置が一致していれば、作動軸４がアクチュエータ２と反対の方向へ移動するのが許容される。
【００３６】
（８）ダイヤル強制駆動機構９の構成
この実施例のダイヤル強制駆動機構９は、解錠符号列を整列状態に設定した後、「開状態」から「閉状態」へ移行させるとき、整列状態の解錠符号列を崩して各ダイヤル３を決められた角度位置まで回動させ、一方、解錠符号列を整列させた後、「閉状態」から「開状態」へ移行させるとき、同様に、整列状態の解錠符号列を崩して各ダイヤル３を決められた角度位置まで回動させるものである。いずれの場合も、各ダイヤル３の窓孔１３に「０」が出現するような角度位置に各ダイヤル３を強制回動させることにより、「０」が４個並んだ初期符号列の整列状態へ移行させているが、これに限らず、他の決められた符号が各窓孔１３に出現するように構成してもよい。
【００３７】
この実施例のダイヤル強制駆動機構９は、作動軸４上に各ダイヤル３に対応させてダイヤル駆動板９０と、各ダイヤル駆動板９０を対応する各ダイヤル３に近づけたり遠ざけたりして変位させる変位機構１００とで構成されている。各ダイヤル駆動板９０は、図１９〜図２１に示すように、内周面に作動軸４と一体回動が可能なように作動軸４の各凸子４２ａ，４２ｂが係合する切欠溝９１ａ，９１ｂが形成されている。各切欠溝９１ａ，９１ｂは、凸子４２ａ，４２ｂと係合した状態のとき、３６０度／ｎ（ただし、ｎは符号数）に相当する角度（この実施例では、３６０度／１０＝３６度）の遊びが設定してあり、これにより作動軸４が３６０度回動するのに対して、ダイヤル駆動板９０が（３６０度−３６０度／ｎ）に相当する角度（この実施例では、３６０度−３６０度／１０＝３２４度）だけ回動するようにしている。すなわち、「０」が４個並んだ初期符号列の整列状態へ移行させるために、各ダイヤル３を９符号分だけ強制回動させるものである。
【００３８】
各ダイヤル駆動板９０の外周と各ダイヤル駆動板９０に対応するダイヤル３の内周との間には、各ダイヤル駆動板９０が各ダイヤル３の方向へ変位した状態（近づいた状態）のとき、ダイヤル駆動板９０が決められた角度（この実施例では３２４度）だけ回動する間に互いに引っ掛かる部分を設けて、施錠および解錠の各操作時に各ダイヤル３を解錠符号列の整列状態から他の所定の符号列の整列状態へ移行させるようにしている。
この実施例では、各ダイヤル駆動板９０の外周に突片９２が形成され、各ダイヤル３のダイヤル本体３０の内周に前記凸片９２が摺動する摺動溝９３が形成されるとともに、摺動溝９３内の所定の角度位置に前記突片９２が引っ掛かる凸部９４が形成されている。
【００３９】
前記変位機構１００は、作動軸４が「第１変位位置」にあるとき、作動軸４の基端部に設けたフランジ部４９により一端のダイヤル３のブッシュ３１を押し、これと連なった他のブッシュ３１と各ダイヤル駆動板９０とをアクチュエータ２の側へ変位させることにより各ダイヤル駆動板９０を対応するダイヤル３から遠ざけ、つぎに、作動軸４が「第３変位位置」に至ったとき、作動軸４の先端側に配備した復帰バネ１０１のバネ圧により各ダイヤル駆動板９０と各ブッシュ３１とを復帰動作させてアクチュエータ２と反対方向へ変位させることにより各ダイヤル駆動板９０を対応するダイヤル３に近づけるものである。
なお、各ブッシュ３１は変位しても、その変位量はわずかであるから、ダイヤル本体３０との噛み合いが維持され、解錠符号の記憶が保持されている。
【００４０】
作動軸４は、前記した「開状態」と「閉状態」との間を移行する間にちょうど１回転するもので、作動軸４の凸子４２ａ，４２ｂは「開状態」および「閉状態」のとき同じ角度位置にある。
図２３（１）〜（４）は、作動軸４とダイヤル駆動板９０とダイヤル３との関係を示している。この実施例では、図２３（１）の「開状態」のときと図２３（４）の「閉状態」のときとは、一方の凸子４２ａが所定の角度位置θ、すなわち、前面プレート１４に対して９０度の角度位置に位置している。
【００４１】
図２３（１）の「開状態」のとき、ダイヤル駆動板９０の突片９２は前記角度位置θにあり、ダイヤル３の凸部９４は窓孔１３に出現する符号に応じた角度位置にある。この場合、ダイヤル駆動板９０はダイヤル３から遠ざかって係わり合っていないので、各ダイヤル３を回動操作して解錠符号列を揃えることができる。
【００４２】
作動軸４が回動すると、当初は作動軸４の凸子４２ａ，４２ｂはダイヤル駆動板９０の係合溝９１ａ，９１ｂ内を摺動するので、１符号分だけ空転し、ダイヤル駆動板９０は追随しない（図２３（２）参照）。このとき、各ダイヤル駆動板９０は各ダイヤル３に近づいており、突片９２は摺動溝９３内に位置する。
【００４３】
作動軸４とダイヤル駆動板９０とが適当な角度だけ一体回動すると、ダイヤル駆動板９０の突片９２がダイヤル３の凸部９４を引っ掛け（図２３（３）参照）、それ以後はダイヤル３を強制回動させる。
作動軸４が１回転すると（図２３（４）参照）、ダイヤル３は窓孔１３に出現するダイヤル操作面３２の符号３３が「０」となる位置で回動が停止する。
【００４４】
つぎに、上記した構成の符号錠装置について、施錠操作時および解錠操作時の一連の動作を詳細に説明する。
まず、施錠操作時の動作について説明すると、符号錠装置が図３，４に示された「開状態」にあるとき、作動軸４は、先端部４１が外筒２２の第１の凹部５０ａに嵌まってアクチュエータ２の側へ最も変位した状態にある（第１変位位置）。この「第１変位位置」では、各ダイヤル３は作動軸４と係わりが切れた回動可能な状態、すなわち、作動軸４の凸子４２ａ，４２ｂが各ダイヤル３の凸子摺動溝８１ａ，８１ｂより脱出した状態にある。また、各ダイヤル３は各ダイヤル駆動板９０と係わりが切れた状態にあるので、各ダイヤル３を回して解錠符号列を揃えることが可能である。
【００４５】
いま、各ダイヤル３のダイヤル操作面３２を回動操作して、決められた解錠符号列を整列させると、作動軸４の凸子４２ａ，４２ｂの位置と各ダイヤル３の凸子摺動溝８１ａ，８１ｂの位置とが揃い、符号錠装置は施錠操作が可能な状態に設定される。
この「開状態」のとき、ダイヤル駆動板９０の突片９２は所定の角度位置θにあり、ダイヤル３の凸部９４は窓孔１３に出現する符号に応じた角度位置にある（図２３（１）参照）。
【００４６】
つぎに、撮み２０を回動操作すると、第１の押爪５１ａの押圧面５２が作動軸４の先端部４１をアクチュエータ２と反対方向へ押圧する結果、作動軸４は図５，６に示す「第２変位位置」へ移行する。この「第２変位位置」では、作動軸４の各凸子４２ａ，４２ｂは各ダイヤル３の凸子摺動溝８１ａ，８１ｂ内へ進入している。
さらに、アクチュエータ２が回動すると、作動軸４の先端部４１は第１の押爪５１ａの押圧面５２による押圧より解放され、作動軸４の先端部４１が第１の押爪５１ａを押し返して外筒２２の外面に乗り上がり、作動軸４は図７，８に示す「第３変位位置」へ移行する。
【００４７】
この「第３変位位置」では、作動軸４の凸子４２ａ，４２ｂは各ダイヤル３の凸子摺動溝８１ａ，８１ｂより脱出した状態にあり、作動軸４と各ダイヤル３との係わりが切れている。一方、各ダイヤル操作板９０は各ダイヤル３に近づいて係わっている。
さらに、回動機構６の第１の傘歯車６０は、これ以後は外筒２２と一体回動して第２の傘歯車６１の回動を開始させるので、アクチュエータ２の回動が作動軸４に伝達されて作動軸４が回動する。
【００４８】
作動軸４が回動すると、当初は作動軸４の凸子４２ａ，４２ｂはダイヤル駆動板９０の内周の係合溝９１ａ，９１ｂを摺動するので、作動軸４はダイヤル駆動板９０に対して１符号分だけ空転し、各ダイヤル駆動板９０は追随しないが（図２３（２）参照）、それ以後は、各ダイヤル駆動板９０は作動軸４と一体回動する。その結果、各ダイヤル駆動板９０の突片９２は、対応するダイヤル３について、解錠符号に応じた設定角度位置でダイヤル３の凸部９４を引っ掛け（図２３（３）参照）、ダイヤル３を強制回動させる。これにより、各ダイヤル３の凸子摺動溝８１ａ，８１ｂは凸子４２ａ，４２ｂに対して位置ずれする。
【００４９】
作動軸４が一回転してダイヤル駆動板９０の突片８２が前記角度位置θより１符号分だけ手前位置に至ったとき（図２３（４）参照）、各窓孔１３には各ダイヤル３の符号「０」が出現し、図１１および図１２に示された「閉状態」となる。このとき、作動軸４は先端部４１が外筒２２の第２の凹部５０ｂに嵌り込み、アクチュエータ７の方へ変位して「第１変位位置」になっており、作動軸４の各凸子４２ａ，４２ｂとダイヤル３の凸子摺動溝８１ａ，８１ｂとが位置ずれし、ロック状態が形成されている。
【００５０】
つぎに、解錠操作時の動作について説明すると、符号錠装置が図１１および図１２に示された「閉状態」にあるとき、作動軸４は、先端部４１が外筒２２の第２の凹部５０ｂに嵌まってアクチュエータ２の側へ最も変位した状態にある（第１変位位置）。この「第１変位位置」では、各ダイヤル３は作動軸４と係わりが切れた回動可能な状態、すなわち、作動軸４の凸子４２ａ，４２ｂが各ダイヤル３の凸子摺動溝８１ａ，８１ｂより脱出した状態にある。また、各ダイヤル３は各ダイヤル駆動板９０と係わりが切れた状態にあるので、各ダイヤル３を回して解錠符号列を揃えることが可能である。
【００５１】
いま、各ダイヤル３のダイヤル操作面３２を回動操作して、解錠符号列を整列させると、作動軸４の凸子４２ａ，４２ｂの位置と各ダイヤル３の凸子摺動溝８１ａ，８１ｂの位置とが揃い、符号錠装置は解錠操作が可能な状態に設定される。
【００５２】
つぎに、撮み２０を回動操作すると、第２の押爪５１ｂの押圧面５２が作動軸４の先端部４１をアクチュエータ２と反対方向へ押圧する結果、作動軸４は「第２変位位置」へ移行する。
さらに、アクチュエータ２が回動すると、作動軸４の先端部４１は第２の押爪５１ｂの押圧面５２による押圧より解放され、作動軸４の先端部４１が第２の押爪５１ｂを押し返して外筒２２の外面に乗り上がり、作動軸４は「第３変位位置」へ移行する。
【００５３】
この「第３変位位置」では、作動軸４の凸子４２ａ，４２ｂは各ダイヤル３の凸子摺動溝８１ａ，８１ｂより脱出した状態にある。また、各ダイヤル駆動板９０は各ダイヤル３に近づいて係わっている。
さらに、回動機構６の第１の傘歯車６０は、これ以後は外筒２２と一体回動して第２の傘歯車６１の回動を開始させるので、アクチュエータ２の回動が作動軸４に伝達されて作動軸４が回動する。
【００５４】
作動軸４が回動すると、当初は作動軸４の凸子４２ａ，４２ｂはダイヤル駆動板９０の係合溝９１ａ，９１ｂを摺動するので、作動軸４はダイヤル駆動板９０に対して１符号分だけ空転し、各ダイヤル駆動板９０は追随しないが、それ以後は、各ダイヤル駆動板９０は作動軸４と一体回動し、各ダイヤル駆動板９０の突片９２は、対応するダイヤル３について、解錠符号に応じた設定角度位置でダイヤル３の凸部９４を引っ掛け、ダイヤル３を強制回動させる。これにより各ダイヤル３の凸子摺動溝８１ａ，８１ｂは対応する凸子４２ａ，４２ｂに対して位置ずれする。
【００５５】
作動軸４が一回転してダイヤル駆動板９０の突片９２が所定の角度位置θに至ったとき（図２３（１）参照）、各窓孔１３には各ダイヤル３の符号「０」が出現し、図３および図４に示された「開状態」となる。このとき、作動軸４は先端部４１が外筒２２の第１の凹部５０ａに嵌り込み、アクチュエータ７の方へ変位して「第１変位位置」になっており、作動軸４の各凸子４２ａ，４２ｂとダイヤル３の凸子摺動溝８１ａ，８１ｂとが位置ずれし、ロック状態と同じ状態となっている。
【図面の簡単な説明】
【００５６】
【図１】この発明の符号錠装置の外観を示す平面図である。
【図２】この発明の符号錠装置の外観を示す側面図である。
【図３】符号錠装置の内部構造を示す開状態時の水平方向に沿う断面図である。
【図４】符号錠装置の内部構造を示す開状態時の垂直方向に沿う断面図である。
【図５】符号錠装置の内部構造を示す施錠操作時の水平方向に沿う断面図である。
【図６】符号錠装置の内部構造を示す施錠操作時の垂直方向に沿う断面図である。
【図７】符号錠装置の内部構造を示す施錠操作時の水平方向に沿う断面図である。
【図８】符号錠装置の内部構造を示す施錠操作時の垂直方向に沿う断面図である。
【図９】符号錠装置の内部構造を示す施錠操作時の水平方向に沿う断面図である。
【図１０】符号錠装置の内部構造を示す施錠操作時の垂直方向に沿う断面図である。
【図１１】符号錠装置の内部構造を示す閉状態時の水平方向に沿う断面図である。
【図１２】符号錠装置の内部構造を示す閉状態時の垂直方向に沿う断面図である。
【図１３】ダイヤル本体の側面図である。
【図１４】ダイヤル本体の正面図である。
【図１５】図１３のＡ−Ａ線に沿う断面図である。
【図１６】ブッシュの側面図である。
【図１７】ブッシュの正面図である。
【図１８】図１６のＢ−Ｂ線に沿う断面図である。
【図１９】ダイヤル駆動板の側面図である。
【図２０】ダイヤル駆動板の正面図である。
【図２１】図１９のＣ−Ｃ線に沿う断面図である。
【図２２】外筒の係合突起と傘歯車の係合溝との関わりを示すアクチュエータおよび傘歯車の底面図である。
【図２３】ダイヤル強制駆動機構の動作を示す作動軸、ダイヤル駆動板、およびダイヤルの側面図である。
【符号の説明】
【００５７】
２    アクチュエータ
３    ダイヤル
４    作動軸
５    往復動機構
６    回動機構
７    解錠符号列記憶機構
８    ロック機構
９    ダイヤル強制駆動機構
４２ａ，４２ｂ  凸子
８１  凸子摺動溝
９０  ダイヤル駆動板
９１ａ，９１ｂ  係合溝
９２  突片
９３  摺動溝
９４  凸部
【図１】
2008088673.tif 000003
【図２】
2008088673.tif 000004
【図３】
2008088673.tif 000005
【図４】
2008088673.tif 000006
【図５】
2008088673.tif 000007
【図６】
2008088673.tif 000008
【図７】
2008088673.tif 000009
【図８】
2008088673.tif 000010
【図９】
2008088673.tif 000011
【図１０】
2008088673.tif 000012
【図１１】
2008088673.tif 000013
【図１２】
2008088673.tif 000014
【図１３】
2008088673.tif 000015
【図１４】
2008088673.tif 000016
【図１５】
2008088673.tif 000017
【図１６】
2008088673.tif 000018
【図１７】
2008088673.tif 000019
【図１８】
2008088673.tif 000020
【図１９】
2008088673.tif 000021
【図２０】
2008088673.tif 000022
【図２１】
2008088673.tif 000023
【図２２】
2008088673.tif 000024
【図２３】
2008088673.tif 000025